(57)【要約】【課題】非接触通信媒体を利用して、撮影した画像を転送可能とする画像転送サービスシステム等を提供する。【解決手段】携帯型端末１０３は、非接触型ＩＣカード部１０７のメモリ部５０２の個人情報領域１２２に、入力した個人情報であるメールアドレスを書き込む。インスタント写真撮影装置１０１は、被写体（利用者）を撮影し、画像データを取得し、利用者の指示に基づいて、画像の加工、編集、合成等を行う。携帯型端末１０３をリーダライタ部１０８にかざすと、インスタント写真撮影装置１０１は、非接触型ＩＣカード部１０７の個人情報領域１２２を読み取り、この領域からメールアドレスを取得し、メールアドレス宛に、ネットワーク１０９を介して、当該画像データを送信する。【選択図】図１
2008243131.tif 000002
【特許請求の範囲】
【請求項１】
被写体を撮像することにより画像データを取得する撮像手段と、
前記画像データを印刷する印刷出力手段と、
を備えるインスタント写真撮影装置と、
利用者の非接触通信媒体と、からなる画像転送サービスシステムであって、
前記非接触通信媒体は、
メールアドレスを少なくとも記憶する前記利用者の個人情報領域を備え、
前記インスタント写真撮影装置は、
前記非接触通信媒体と非接触通信を行うリーダライタと、
前記非接触通信媒体から前記個人情報領域を読み取り、前記メールアドレスを取得する読取手段と、
ネットワークを介して、取得したメールアドレス宛に前記画像データを送信する画像送信手段と、
を具備することを特徴とする画像転送サービスシステム。
【請求項２】
前記非接触通信媒体は、非接触型ＩＣカードであることを特徴とする請求項１記載の画像転送サービスシステム。
【請求項３】
前記非接触通信媒体は、非接触型ＩＣカードを備えた携帯型端末であることを特徴とする請求項１記載の画像転送サービスシステム。
【請求項４】
前記非接触通信媒体は、赤外線通信手段を備えた携帯型端末であることを特徴とする請求項１記載の画像転送サービスシステム。
【請求項５】
前記非接触通信媒体は、
入力したメールアドレスを前記個人情報領域に書き込む手段、
を更に具備することを特徴とする請求項１から請求項４記載の画像転送サービスシステム。
【請求項６】
前記画像送信手段は、前記画像データを、電子メール機能を用いて送信することを特徴とする請求項１から請求項５記載の画像転送サービスシステム。
【請求項７】
取得された画像データ、予め保持する画像データのうち少なくともいずれかを用いて画像を加工し、新しい別の画像データを作成する画像加工手段、を更に具備することを特徴とする請求項１から請求項６までのいずれかに記載の画像転送サービスシステム。
【請求項８】
課金を行う課金手段、を更に具備することを特徴とする請求項１から請求項７記載の画像転送サービスシステム。
【請求項９】
コンピュータを請求項１から請求項８いずれかに記載の画像転送サービスシステムとして機能させるプログラム。
【請求項１０】
コンピュータを請求項１から請求項８いずれかに記載の画像転送サービスシステムとして機能させるプログラムを記録した記録媒体。
【発明の詳細な説明】
【技術分野】
【０００１】
本発明は、非接触ＩＣカード等の媒体を用いて、インスタント写真撮影装置で撮影した画像の転送サービスに関する。
【背景技術】
【０００２】
昨今、利用者（被写体）を撮影して、この撮像画像に、予め用意された画像と合成、加工する編集処理を行い、シール紙に印刷する写真シール作成装置（例えば、プリント倶楽部（登録商標））が様々なものが開発されており、知られている。更に、画像合成装置等でテンキーが操作されることで入力されたメールアドレスにより指定された携帯電話機などの端末装置に対して、撮影された画像データがサーバから送信されるシステムが存在する（例えば、特許文献１）。
【０００３】
また、インターネット等に代表されるネットワーク技術、携帯電話等が急速に普及に伴い、非接触型ＩＣカード機能を搭載した携帯型端末も実用化されており、携帯端末機とＩＣカードを別々に携帯する不便も解消されている。非接触型ＩＣカード機能を搭載した携帯型端末においては、携帯電話と自動販売機や改札機等で非接触通信を行い購入商品の決済をするシステム等の多機能な技術が公開されている（例えば、特許文献２）。
【０００４】
【特許文献１】特開２００１−２４５２９０号公報
【特許文献２】特開２００２−３４２４４９号公報
【発明の開示】
【発明が解決しようとする課題】
【０００５】
従来のシステムにおいては、画像データの送信先のメールアドレスの入力手段では、手入力となり、手間がかかり、間違いの元となる。例えば、グループで撮影している場合、グループ全員のメールアドレスを手入力しなければならず、手間も時間もかかるという問題があった。
【０００６】
本発明は、以上の点に鑑みてなされたものであり、非接触通信媒体を利用して、撮影した画像を転送可能とする画像転送サービスシステム等を提供することを目的とする。
【課題を解決するための手段】
【０００７】
前述した目的を達成するために第１の発明は、被写体を撮像することにより画像データを取得する撮像手段と、前記画像データを印刷する印刷出力手段と、を備えるインスタント写真撮影装置と、利用者の非接触通信媒体と、からなる画像転送サービスシステムであって、前記非接触通信媒体は、メールアドレスを少なくとも前記利用者の個人情報領域と、を備え、前記インスタント写真撮影装置は、前記非接触通信媒体と非接触通信を行うリーダライタと、前記非接触通信媒体から前記個人情報領域を読み取り、前記メールアドレスを取得する読取手段と、ネットワークを介して、取得したメールアドレス宛に前記画像データを送信する画像送信手段と、を具備することを特徴とする画像転送サービスシステムである。
【０００８】
また、前記非接触通信媒体は、非接触型ＩＣカードであることが望ましい。
また、前記非接触通信媒体は、非接触型ＩＣカードを備えた携帯型端末であることが望ましい。
また、前記非接触通信媒体は、赤外線通信手段を備えた携帯型端末であることが望ましい。
また、前記非接触通信媒体は、入力したメールアドレスを前記個人情報領域に書き込む手段を、更に具備することが望ましい。
また、取得された画像データ、予め保持する画像データのうち少なくともいずれかを用いて画像を加工し、新しい別の画像データを作成する画像加工手段、を更に具備することが望ましい。
また、前記画像送信手段は、前記画像データを、電子メール機能を用いて送信することが望ましい。
【０００９】
「非接触通信媒体」は、「非接触型ＩＣカード」、「非接触型ＩＣカードを備える携帯型端末」、「赤外線通信手段を備える携帯型端末」等である。「非接触型ＩＣカード」は、カード内部にアンテナの役目を果たすコイルが内蔵されており、端末のリーダ／ライタから発生している磁界にカードをかざすと無線通信でデータのやりとりができる。非接触型ＩＣカードは、通信方式の違いによってＴｙｐｅ
Ａ、Ｔｙｐｅ Ｂ、ＦｅｌｉＣａ（商標）方式の３タイプに分類される。「赤外線通信手段」は、赤外線を利用した近距離のデータ通信を行う通信機能であり、例えばＩｒＤＡ（Ｉｎｆｒａｒｅｄ
Ｄａｔａ Ａｓｓｏｃｉａｔｉｏｎ）を用いた近距離通信である。
【００１０】
第１の発明では、利用者の携帯電話機や端末装置において、撮影した画像を配信、保存でき、更に、常時、高い頻度で携帯可能とする携帯電話機やＩＣカード等の媒体を用いてメールアドレスを入力することにより、入力ミスなく、手間もかからず、効率良く撮影、転送作業が行うことができる。
また、非接触ＩＣカードを利用すれば、磁気カードを用いる場合より使い勝手がよく、セキュリティが高まるという効果を奏する。
【００１１】
第２の発明は、コンピュータを第１発明の画像転送サービスシステムとして機能させるプログラムである。
第３の発明は、コンピュータを第１の発明の画像転送サービスシステムとして機能させるプログラムを記録した記録媒体である。
【００１２】
上述のプログラムをＣＤ−ＲＯＭ等の記録媒体に保持させて流通させてもよいし、このプログラムを通信回線を介して送受することもできる。
【発明の効果】
【００１３】
本発明は、以上の点に鑑みてなされたものであり、非接触通信媒体を利用して、撮影した画像を転送可能とする画像転送サービスシステム等を提供することができる。
【発明を実施するための最良の形態】
【００１４】
以下に、添付図面を参照しながら、本発明に係る画像転送サービスシステム等の好適な実施形態について詳細に説明する。尚、以下の説明および添付図面において、略同一の機能構成を有する構成要素については、同一の符号を付することにより重複説明を省略することにする。
【００１５】
図１は、本実施の形態に係る画像転送サービスシステム１００の概略構成を示す図である。図１は、画像転送サービスシステム１００の１例であり、図１に示すように、画像転送サービスシステム１００は、インスタント写真撮影装置１０１、利用者１０４の携帯型端末１０３（又はＩＣカード１０８）、ネットワーク１０９等からなる。
【００１６】
画像転送サービスシステム１００は、例えばインターネットなどのネットワーク１０９を介して、インスタント写真撮影装置１０１と、メールアドレス先となる端末装置１０５とが接続されて構成される。尚、画像転送サービスシステム１００は、ＷＷＷ（Ｗｏｒｌｄ  Ｗｉｄｅ  Ｗｅｂ）技術を用いて実現した構成図である。
【００１７】
インスタント写真撮影装置１０１は、利用者（被写体）の画像を撮影し、この画像を予め用意された素材画像データ、フレーム画像データ等と合成した画像データをシール紙などに印刷する。インスタント写真撮影装置１０１は、撮影手段１１１、画像編集合成手段１１２、プリント手段１１３、ＩＣカード読取手段１１４、画像送信手段１１５、課金手段１１６等を備える。
【００１８】
撮影手段１１１は、被写体１２３をデジタルカメラの撮像装置により撮像し、画像データを取得する。
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インタフェース手段と画像処理プログラムで構成される。加工や合成編集に扱う画像データとしては、記憶部３０２に存在する素材画像データ、フレーム画像データ等を用いることもできる。
プリント手段１１３は、高解像度カラープリンタである。昇華型あるいはインクジェット型などの方式は問わない。プリント物１２４は、プリント出力された撮像によるシールプリント等である。
【００１９】
ＩＣカード読取手段１１４は、携帯型端末１０３の非接触型ＩＣカード部１０７の個人情報領域１２２を読み取り、メールアドレス５３０を取得する。
画像送信手段１１５は、ネットワーク１０９を介して、取得したメールアドレス宛であるパーソナルコンピュータ、携帯型端末等の端末装置に画像データを送信する。
【００２０】
課金手段１１６は予め投入された金額に応じて、インスタント写真撮影装置１０１の各機能を有効とする。
【００２１】
利用者１０４は、インスタント写真撮影装置１０１で写真撮影し印刷する顧客であり、携帯型端末１０３を有する。携帯型端末１０３には、非接触通信媒体である非接触型ＩＣカード部１０７を備え、インスタント写真撮影装置１０１のリーダライタ部と非接触通信を行う。携帯型端末１０３（非接触型ＩＣカード部１０７）は、アプリケーションプログラムとして個人情報セットアップ手段１２１、個人情報領域１２２を有する。個人情報手段セットアップ手段１２１は、個人情報領域１２２に取得した個人情報（メールアドレス）を設定、保持する。
【００２２】
尚、本実施形態では、非接触通信媒体として非接触型ＩＣカード部１０７を備えた携帯型端末１０３を用いるが、ＩＣカード１０８を用いてもよい。ＩＣカード１０８は非接触型ＩＣカードである。
【００２３】
次に、図２を参照しながら、インスタント写真撮影装置１０１の外観構成について説明する。
図２は、インスタント写真撮影装置１０１の外観斜視図である。
【００２４】
インスタント写真撮影装置１０１の上段部正面には、タッチパネル付きモニタ等であるモニタ画面２１が配置されている。モニタ画面２１は、操作の案内や、操作の状況や、読み取った画像或いは編集加工した画像等を表示する表示手段としての機能を発揮する。
【００２５】
インスタント写真撮影装置１０１の上段部と下段部を分けている水平部には、キー入力部２２が設置される。また、モニタ画面２１の画面の上には、デジタルカメラ等の撮像装置により被写体を撮像するためのレンズ窓２０が設置される。このレンズ窓２０は、撮影手段１１１の一部を構成する。また、水平部には、リーダライタ部２４は、非接触型ＩＣカード部１０７（又はＩＣカード１０８）に対して、非接触通信を行い、情報の読み書きを行う。
【００２６】
インスタント写真撮影装置１０１の下段部には、料金投入口（紙幣挿入口２５、硬貨投入口２６）、スピーカー２７、プリント物取出口２８、返却口２９等がそれぞれ配置されている。
【００２７】
料金投入口（紙幣挿入口２５、硬貨投入口２６）、返却口２９は、課金手段１１６の一部を構成する。
利用者は、硬貨投入口２６に硬貨を投入したり、紙幣挿入口２５に紙幣を挿入することにより料金を支払う。
【００２８】
プリント物取出口２８は、プリント手段１１３の一部を構成する。利用者は、タッチパネルボタンに触れるなどしてプリント実行を指示した後、プリント物取出口２８から放出されるプリント物１２４を受け取る。
スピーカー２７は、待機中や操作中に音声、ＢＧＭ、効果音などを再生する。
【００２９】
次に、図３を参照しながら、インスタント写真撮影装置１０１のハードウェア構成について説明する。
図３は、インスタント写真撮影装置１０１のハードウェア構成図である。
【００３０】
インスタント写真撮影装置１０１は、制御部３０１、記憶部３０２、ＩＣカードリーダライタ部３０３、通信制御部３０４、デジタルカメラ３０５、表示部３０６、入力部３０７、紙幣処理部３０８、コイン処理部３０９、プリンタ３１０、等が、バス３１１を介して接続される。
【００３１】
制御部３０１は、ＣＰＵ、ＲＯＭ、ＲＡＭ等で構成され、大容量記憶媒体としての記憶部３０２に格納されたプログラムに従って、バス３１１を介して接続された各装置を駆動制御する。
【００３２】
記憶部３０２には、各構成部分を駆動制御するプログラム、すなわち撮影手段１１１、画像編集合成手段１１２、プリント手段１１３、ＩＣカード読取手段１１４、画像送信手段１１５、課金手段１１６等に相当するプログラムおよび、画像の合成に用いるフレーム、背景画像用のイラスト画像等の画像データを記憶した素材データベース等が格納されている。
これらの各プログラムコードは、制御部３０１により必要に応じて読み出されてＲＡＭに移され、ＣＰＵに読み出されて各種の手段として実行される。
【００３３】
ＩＣカードリーダライタ部３０３は、ＩＣカード読取手段１１４に相当し、非接触型ＩＣアンテナ３１２と接続され、非接触型ＩＣカード部１０７と無線通信でデータのやりとりを行い、非接触型ＩＣカード部１０７からのデータの読み取り処理、及び書き込み処理を行う。
通信制御部３０４は、通信制御装置、通信ポート等であり、ネットワーク１０９を介して、インスタント写真撮影装置１０１とメールアドレス先となる端末装置１０５間の通信制御を行う。
【００３４】
デジタルカメラ３０５は、撮影手段１１１に相当する。
表示部（モニタ）３０６に表示された操作案内に従って、表示されたタッチパネルボタンを選択し触れること、及び入力部３０７（キーボード等）の操作キー、操作ボタン等により、撮影から、加工、合成編集、プリント物１２４の出力、画像転送までの一連の操作を行うことができる。
【００３５】
紙幣処理部３０８はビルバリを制御し、紙幣挿入を受け付け、釣札の払い出し等を行う。コイン処理部３０９はコインメックを制御し、硬貨投入を受け付け、釣銭払い出し等を行う。
プリンタ３１０は、プリント手段１１３に相当し、画像の印刷出力処理を行う。
【００３６】
次に、図４を参照しながら、携帯型端末１０３及び非接触型ＩＣカード部１０７のハードウェア構成を説明する。図４は、携帯型端末１０３及び非接触型ＩＣカード部１０７のハードウェア構成図である。
利用者１０４の携帯型端末１０３は、非接触型ＩＣカード部１０７を搭載し、例えば、携帯電話である。携帯型端末１０３は、制御部４０１、記憶部４０２、送受話部４０３、送受信部４０４、入力部４０５、表示部４０６、ＩＣカードＩ／Ｆ部４０７、アンテナ４１０、非接触型ＩＣカード部１０７等からなる。
【００３７】
制御部４０１は、ＣＰＵ、ＲＯＭ、ＲＡＭ等で構成され、記憶部４０２に格納されたプログラムに従って、各装置を駆動制御する。
【００３８】
記憶部４０２には、各構成部分を駆動制御する制御プログラムが格納される。
【００３９】
これらの各プログラムコードは、制御部４０１により必要に応じて読み出されてＲＡＭに移され、ＣＰＵに読み出されて各種の手段として実行される。
【００４０】
送受話部４０３は、スピーカーなどの受話器、マイクなどの送話器である。
【００４１】
送受信部４０４は、携帯型端末１０３とネットワーク１０９間の通信を媒介する通信インタフェースである。
入力部４０５は、データの入力を行い、例えば、操作キー、操作ボタン等であり、表示部４０６（ディスプレイ）に表示された操作案内、各種処理、操作を行う。
ＩＣカードＩ／Ｆ部４０７は、非接触型ＩＣカード部１０７と接触端子を通じてデータの授受を行うことにより通信を行うための接続部である。
【００４２】
非接触型ＩＣカード部１０７は、カード内部にアンテナの役目を果たすコイルが内蔵されており、リーダライタから発生している磁界にカードをかざすと無線通信でデータのやりとりを行う。非接触型ＩＣカード１０７は、データの読み書きができる距離や通信方式の違いによって、より細かく分類されている。まず距離の違いによって「密着型（〜２ｍｍ）」「近接型（〜１０ｍｍ）」「近傍型（〜７０ｍｍ）」などのタイプがあり、また、通信方式の違いによってＴｙｐｅ Ａ、Ｔｙｐｅ Ｂ、ＦｅｌｉＣａ（商標）方式の３タイプがある。
非接触型ＩＣカード部１０７は、制御部５０１、メモリ部５０２、接触Ｉ／Ｆ部５０３、非接触型ＩＣ無線通信部５０４、非接触型ＩＣアンテナ５０５等からなる。
【００４３】
制御部５０１は、ＣＰＵ、ＲＯＭ、ＲＡＭ等で構成され、メモリ部５０２に格納されたプログラムに従って、非接触型ＩＣカード部１０７を駆動制御する。
メモリ部５０２は、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）からなり、データ記憶領域である。
接触Ｉ／Ｆ部５０３は、携帯型端末１０３のＩＣカードＩ／Ｆ部４０７を介してデータにより接触通信を行う。
非接触型ＩＣ無線通信部５０４は、非接触型ＩＣアンテナ５０５を介してインスタント写真撮影装置１０１のＩＣカードリーダライタ部３０３との非接触通信を行う。
【００４４】
図５は、非接触型ＩＣカード部１０７のデータ構造の一態様を示す図である。
図５に示すように、非接触型ＩＣカード部１０７は、ＣＰＵ５１１、ＲＯＭ５１２、ＲＡＭ５１３、ＥＥＰＲＯＭ５１４等からなる。
【００４５】
ＲＯＭ５１２には、アプリケーションの追加・削除が可能なプラットフォーム型ＯＳを格納する。
ＥＥＰＲＯＭ５１４には、プラットフォーム型ＯＳに対応したアプリケーション５１５を複数搭載可能とする。例えば、アプリケーション５１５として、個人情報サービスアプリケーションプログラム５２０、個人情報領域１２２を搭載、格納する。個人情報領域１２２には少なくともメールアドレスを格納される。
【００４６】
尚、非接触型ＩＣカード部１０７のデータ構造は、この構成に限られるものではない。
また、この非接触型ＩＣカード部１０７は、携帯型端末１０３から脱着可能に設けられてもよい。
【００４７】
次に、図６を参照しながら、個人情報セットアップ処理の処理手順について詳しく説明する。図６は、個人情報セットアップ処理の処理手順の処理手順を示すフローチャートである。
【００４８】
携帯型端末１０３の制御部４０１は、個人情報サービスアプリケーションプログラムを取得する（ステップＳ６０１）。
例えば、所定のサーバのサイトにアクセスし、携帯型端末用アプリケーションプログラム（個人情報サービスプログラム）を、携帯型端末１０３にダウンロードする。
携帯型端末１０３の制御部４０１は、取得した携帯用アプリケーションプログラム（個人情報サービスプログラム）をメモリ部４０２に格納し、実行させる（ステップＳ６０２）。
携帯用アプリケーションプログラム実行により、制御部４０１は、非接触型ＩＣカード部１０７のメモリ部５０２に個人情報領域１２２をセットアップし、入力した個人情報であるメールアドレスを個人情報領域１２２に書き込む（ステップＳ６０３）。
【００４９】
次に、図７を参照しながら、インスタント写真撮影装置１０１の動作について説明する。
図７は、インスタント写真撮影装置１０１の動作を示すフローチャートである。
【００５０】
インスタント写真撮影装置１０１の制御部３０１は、サービスの内容、手順、案内等を示すメニュ画面を、表示部３０６のモニタ画面２１に表示し、利用者に機能選択させる。（ステップＳ７０１）。
【００５１】
制御部３０１は、被写体（利用者）を撮影し、デジタルカメラ３０５を介して、画像データを取得する（ステップＳ７０２）。
【００５２】
制御部３０１は、利用者の指示に基づいて、画像の加工、編集、合成等を行う（ステップＳ７０３）。画像の加工、編集、合成は、例えば、入力画像データ同士、フレーム画像、既存画像等の合成、塗色、文字入力、移動、拡大・縮小等である。
制御部３０１は、利用者の注文内容（写真プリント、シールプリント、画像転送等の出力形態、プリント枚数等）に応じて、課金処理を行う（ステップＳ７０４）。
【００５３】
制御部３０１は、色修正、リサイズ、トリミング、レイアウト、文字・ロゴ合成等の画像処理を行い（ステップＳ７０５）、画像処理した画像データを記憶部３０２に保持する（ステップＳ７０６）。
制御部３０１は、プリンタ３１０に当該画像データを転送し、印刷処理を行う（ステップＳ７０７）。
【００５４】
制御部３０１は、通信制御部３０４を介して、当該画像データの転送処理を行う（ステップＳ７０８）。
【００５５】
画像プリントシステム１００の稼働を続ける場合（ステップＳ７０９のＮｏ）、制御部３０１は、ステップＳ７０１〜ステップＳ７０９までの処理を繰り返す。
【００５６】
次に、図８を参照しながら、ステップＳ７０８の画像データの転送処理について詳しく説明する。
図８は、画像データの転送処理の処理手順を示すフローチャートである。
【００５７】
利用者１０４が携帯型端末１０３をリーダライタ部１０８にかざすことにより（ステップＳ８０１）、インスタント写真撮影装置１０１の制御部３０１は、非接触型ＩＣカード部１０７の接近を検出すると（ステップＳ８０２のＹｅｓ）、非接触型ＩＣカード部１０７に検出信号を送信し、非接触型ＩＣカード部１０７の個人情報領域１２２を読み取り（ステップＳ８０３）、この領域からメールアドレスを取得する（ステップＳ８０４）。
制御部３０１は、取得したメールアドレス宛に、ネットワーク１０９を介して、当該画像データを送信する（ステップＳ８０５）。例えば、電子メール機能を用いて、添付ファイルとした画像データファイルを、取得したメールアドレス宛に、メール送信する。
【００５８】
以上説明したように、本発明の実施の形態によれば、携帯型端末１０３は、個人情報サービスアプリケーションプログラムを取得しメモリ部４０２に格納し、実行させ、非接触型ＩＣカード部１０７のメモリ部５０２に個人情報領域１２２をセットアップし、入力した個人情報であるメールアドレス等を個人情報領域１２２に書き込む。インスタント写真撮影装置１０１は、被写体（利用者）を撮影し、デジタルカメラ３０５を介して、画像データを取得し、利用者の指示に基づいて、画像の加工、編集、合成等を行い、当該画像データの転送処理を行う。携帯型端末１０３をリーダライタ部１０８にかざすと、インスタント写真撮影装置１０１は、非接触型ＩＣカード部１０７の個人情報領域１２２を読み取り、この領域からメールアドレスを取得し、このメールアドレス宛に、ネットワーク１０９を介して、当該画像データを送信する。
【００５９】
これにより、利用者の携帯電話機や端末装置において、撮影した画像を配信、保存でき、更に、常時、高い頻度で携帯可能とする携帯電話機やＩＣカード等の媒体を用いてメールアドレスを入力することにより、入力ミスなく、手間もかからず、効率良く撮影、転送作業が行うことができる。
また、非接触ＩＣカードを利用すれば、磁気カードを用いる場合より使い勝手がよく、セキュリティが高まるという効果を奏する。
【００６０】
尚、本実施の形態では、非接触通信媒体として、非接触型ＩＣカードを備えた携帯型端末を用いたが、非接触通信媒体として、非接触型ＩＣカード、赤外線通信手段を備えた携帯型端末等を使用してもよい。尚、赤外線通信手段を備えた携帯型端末を使用して近距離通信を行う場合には、インスタント写真撮影装置には、赤外線通信ポートである通信部が備えられる。
【００６１】
また、本実施の形態では、インスタント写真撮影装置１０１としてリーダライタ部を備えたインスタント写真撮影装置１０１を用いて、現金による画像印刷や画像転送を行ったが、携帯型端末１０３の非接触型ＩＣカード部１０７を用いてメールアドレス同様に、携帯型端末の非接触型ＩＣカードに電子マネー情報を格納し、利用者の携帯型端末１０３は鍵コードを基に利用者の電子マネーの認証と電子マネーによる決済のための通信を行い、インスタント写真撮影装置１０１は電子マネーの認証と決済を行ってもよい。
【００６２】
また、この非接触型ＩＣカード部１０７は、携帯電話機１０３から脱着可能に設けられてもよい。
【００６３】
尚、図６乃至図８等に示す処理を行うプログラムはＣＤ−ＲＯＭ等の記録媒体に保持させて流通させてもよいし、このプログラムを通信回線を介して送受することもできる。
【００６４】
以上、添付図面を参照しながら、本発明に係る画像転送サービスシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００６５】
【図１】本発明の本実施の形態に係る画像転送サービスシステム１００の概略構成を示す図
【図２】インスタント写真撮影装置１０１の外観斜視図
【図３】インスタント写真撮影装置１０１のハードウェア構成図
【図４】携帯型端末１０３及び非接触型ＩＣカード部１０７のハードウェア構成図
【図５】非接触型ＩＣカード部１０７のデータ構造の一態様を示す図
【図６】個人情報セットアップ処理の処理手順の処理手順を示すフローチャート
【図７】インスタント写真撮影装置１０１の動作を示すフローチャート
【図８】画像データの転送処理の処理手順を示すフローチャート
【符号の説明】
【００６６】
１００………画像転送サービスシステム
１０１………インスタント写真撮影装置
１０３………携帯型端末
１０４………利用者
１０５………端末装置
１０７………非接触型ＩＣカード部
１０８………ＩＣカード
１０９………ネットワーク
１１１………撮影手段
１１２………画像編集合成手段
１１３………プリント手段
１１４………ＩＣカード読取手段
１１５………画像送信手段
１１６………課金手段
１２１………個人情報セットアップ手段
１２２………個人情報領域
２０１、４０１、５０１………制御部
２０２、４０２、５０２………記憶部
【図１】
2008243131.tif 000003
【図２】
2008243131.tif 000004
【図３】
2008243131.tif 000005
【図４】
2008243131.tif 000006
【図５】
2008243131.tif 000007
【図６】
2008243131.tif 000008
【図７】
2008243131.tif 000009
【図８】
2008243131.tif 000010